(57)【要約】【課題】加熱調理器においてトッププレートの支持を強固なものとする。【解決手段】加熱調理器は、被加熱物が搭載される箱状の本体ケースを有する本体と本体ケースの上面に配設されたトッププレートユニットとを備える。トッププレートユニットは、トッププレート枠と、トッププレートガラスと、ベース部材とを備える。トッププレート枠は開口部を有する矩形の枠状の単一の部材である。トッププレートガラスは、トッププレート枠の開口部に配設されている。トッププレートガラスは、トッププレート枠とベース部材との間に配設され、トッププレート枠に接着されると共にベース部材に接着されている。【選択図】図４
2018170114.tif 000002
【特許請求の範囲】
【請求項１】
被加熱物が搭載される箱状の本体ケースを有する本体と、
前記本体ケースの上部に配設されたトッププレートユニットとを備え、
前記トッププレートユニットは、トッププレート枠と、トッププレートガラスと、ベース部材とを備え、
前記トッププレート枠は開口部を有する矩形の枠状の単一の部材であり、
前記トッププレートガラスは、前記トッププレート枠の前記開口部に配設されており、
前記トッププレートガラスは、前記トッププレート枠と前記ベース部材との間に配設され、前記トッププレート枠に接着されると共に前記ベース部材に接着されている加熱調理器。
【請求項２】
前記トッププレート枠の矩形を構成する４辺のそれぞれにおいて、前記トッププレート枠は前記トッププレートガラスの上方に位置し、前記ベース部材は前記トッププレートガラスの下方に位置している請求項１に記載の加熱調理器。
【請求項３】
前記トッププレート枠の前記４辺のコーナー部において、前記トッププレート枠と前記ベース部材とが接着されている請求項１又は２に記載の加熱調理器。
【請求項４】
前記ベース部材は、前記トッププレートガラスの周縁部に配置されている請求項１〜３のいずれか一項に記載の加熱調理器。
【請求項５】
前記ベース部材は、前記トッププレートガラスの周縁部において、トッププレートガラスの外方に張り出している請求項４に記載の加熱調理器。
【請求項６】
前記ベース部材として、前記トッププレート枠の矩形を形成する４辺において対向する２辺のうちの一方の辺に対応して配設される長尺部材の第１のベース部材と、前記対向する２辺のうちの他方の辺に対応して配設される長尺部材の第２のベース部材とを有している請求項１〜５のいずれか一項に記載の加熱調理器。
【請求項７】
前記ベース部材として、前記トッププレート枠の矩形を形成する４辺のそれぞれに対応して配設される４つの長尺部材のベース部材からなる請求項１〜５のいずれか一項に記載の加熱調理器。
【請求項８】
前記ベース部材は、矩形の枠状の単一の部材であり、前記ベース部材の矩形を形成する４辺が、前記トッププレート枠の矩形を形成する４辺に対応するよう配設さている請求項４又は５に記載の加熱調理器。
【請求項９】
前記ベース部材は、第１水平部と第２水平部と垂直部とを有し、前記第１水平部と前記第２水平部は前記垂直部により接続され、前記第１水平部は前記第２水平部より上方に位置している請求項１〜８のいずれか一項に記載の加熱調理器。
【請求項１０】
前記垂直部は前記本体ケースの最外端よりも外方に位置している請求項９に記載の加熱調理器。
【請求項１１】
前記第２水平部は、上下方向において、前記本体ケースの上端部に形成されたフランジと同一の位置、若しくは前記フランジより下方に位置している請求項９又は１０に記載の加熱調理器。
【発明の詳細な説明】
【技術分野】
【０００１】
本発明は、トッププレートに被加熱物を載置して加熱する加熱調理器に関する。
【背景技術】
【０００２】
従来、本体の上面に配設されたトッププレートに鍋等の被加熱物を載置して加熱する加熱調理器が知られている。このような加熱調理器は、本体の内部には、加熱コイル、回路ユニット、冷却ファンが配設されている。加熱コイルはトッププレートの下部に配置され、トッププレートの上面に載置される被加熱物を加熱するよう構成されている。また、本体内に生じる熱は、冷却ファンにより、本体上部の背面側に設けられた排気口から排出される（例えば、特許文献１）。
【先行技術文献】
【特許文献】
【０００３】
【特許文献１】特許第４８４００９３号公報
【発明の概要】
【発明が解決しようとする課題】
【０００４】
特許文献１に記載の加熱調理器において、トッププレートの周囲はトッププレートフレームで囲まれている。そして、トッププレートを支持しているのはこのトッププレートのみである。従って、トッププレートとトッププレートフレームと接着に不具合が発生すると、トッププレートが落下する可能性がある。
【０００５】
本発明は、上述のような課題を背景としてなされたものであり、加熱調理器においてトッププレートの支持を強固なものとすることを目的としている。
【課題を解決するための手段】
【０００６】
本発明に係る加熱調理器は、被加熱物が搭載される箱状の本体ケースを有する本体と、前記本体ケースの上面に配設されたトッププレートユニットとを備え、前記トッププレートユニットは、トッププレート枠と、トッププレートガラスと、ベース部材とを備え、前記トッププレート枠は開口部を有する矩形の枠状の単一の部材であり、前記トッププレートガラスは、前記トッププレート枠の前記開口部に配設されており、前記トッププレートガラスは、前記トッププレート枠と前記ベース部材との間に配設され、前記トッププレート枠に接着されると共に前記ベース部材に接着されている。
【発明の効果】
【０００７】
本発明によれば、トッププレートガラスは、トッププレート枠とベース部材との間に配設され、トッププレート枠に接着されると共にベース部材に接着されている。従って、トッププレートガラスを強固に支持することができ、トッププレートガラスとトッププレート枠との接着に不具合が生じても、トッププレートガラスの落下を防止することができる。
【図面の簡単な説明】
【０００８】
【図１】本発明の実施の形態１に係る加熱調理器の斜視図である。
【図２】本発明の実施の形態１に係るトッププレートユニットの斜視図である。
【図３】本発明の実施の形態１に係るトッププレートユニットの分解斜視図である。
【図４】本発明の実施の形態１に係るトッププレートユニットの部分断面図である。
【図５】本発明の実施の形態１に係るトッププレートユニットの部分断面図である。
【図６】本発明の実施の形態１に係るトッププレートユニットの部分断面図である。
【図７】本発明の実施の形態２に係るトッププレートユニットの斜視図である。
【図８】本発明の実施の形態２に係るトッププレートユニットの分解斜視図である。
【図９】本発明の実施の形態２に係るトッププレートユニットの部分断面図である。
【図１０】本発明の実施の形態３に係るトッププレートユニットの斜視図である。
【図１１】本発明の実施の形態３に係るトッププレートユニットの分解斜視図である。
【発明を実施するための形態】
【０００９】
以下、本発明の加熱調理器の好適な実施の形態について図面を用いて説明する。尚、以下に説明する実施の形態によって本発明が限定されるものではない。また、図面における各構成部材の大きさ、形状は、説明のためにわかりやすく表しており、実際の大きさ、形状と異なる場合がある。
【００１０】
実施の形態１．
図１は、本発明の実施の形態１に係る加熱調理器の斜視図である。本明細書では、加熱調理器においてユーザが調理をする際に立つ側を前方、ユーザから遠い側を後方とする。また、本明細書において、左右とは、加熱調理器を前方から見た場合の左右を指すものとする。加熱調理器１は、本体２０と、トッププレートユニット３０と、引出４０と、排気口カバー５０とを有している。本体２０の本体ケース２１は箱状の部材であり、上面が開口している。トッププレートユニット３０は、本体ケース２１の上面に配設されている。トッププレートユニット３０は、トッププレート枠３１と、トッププレートガラス３２とを有している。本体ケース２１の内部には、不図示の電磁加熱手段である加熱コイル及び収納庫が配設されている。引出４０は、本体ケース２１の前面の左側に配設されており、収納庫の開口部に対して開閉自在に設けられている。排気口カバー５０は、トッププレート枠３１において後方の縁部に配設されている。尚、収納庫は、例えばグリル庫で、引出４０はグリル引出であってもよい。
【００１１】
図２は、本発明の実施の形態１に係るトッププレートユニットの斜視図である。図３は、本発明の実施の形態１に係るトッププレートユニットの分解斜視図である。トッププレートユニット３０はトッププレート枠３１と、トッププレートガラス３２と、右ベース部材３３と、左ベース部材３４とを有している。トッププレート枠３１は全体として矩形を呈している単一の部材であり、中央に矩形の開口部３１Ａが形成されている。トッププレート枠３１の前側の辺部には、調理用のスイッチ類３１Ｂが配置されている。トッププレート枠３１の後側の辺部には、２つの方形状の開口部３１Ｃが形成されている。２つの開口部３１Ｃは、トッププレート枠３１の左右方向に沿って並置されている。尚、開口部３１Ｃが２つの場合を示したが、１つの開口部により形成してもよい。開口部３１Ｃには上述の排気口カバー５０が配設される。トッププレートガラス３２は、矩形の薄板状の部材である。トッププレートガラス３２はトッププレート枠３１の開口部３１Ａに配置されている。
【００１２】
右ベース部材３３は、トッププレートユニット３０において加熱調理器１を前方から見たときの右側に配置され、左ベース部材３４は、トッププレートユニット３０において加熱調理器１を前方から見たときの左側に配置されている。右ベース部材３３及び左ベース部材３４は、トッププレートガラス３２の周縁部に配置されている。
【００１３】
右ベース部材３３は長尺部材であり、本体３３１と、第１接着部３３２と、第２接着部３３３とを有している。本体３３１は、短手方向が横方向に延びる第１水平部３３１Ａ及び第２水平部３３１Ｂと、短手方向が上下方向に延びる垂直部３３１Ｃとを有している。第１水平部３３１Ａと第２水平部３３１Ｂは垂直部３３１Ｃにより接続されている。第１水平部３３１Ａは、上下方向において第２水平部３３１Ｂよりも上方に位置している。第１水平部３３１Ａの上面には、本体３３１の長手方向に沿って延びる凸部３３１Ｄが設けられている。凸部３３１Ｄは第１水平部３３１Ａの上面において、上方向に突起している。第１接着部３３２及び第２接着部３３３は、矩形の薄板状の部材である。第１接着部３３２は、本体３３１の長手方向の両端部のうちの一方の端部に設けられている。第２接着部３３３は、本体３３１の長手方向の両端部のうちの他方の端部に設けられている。第１接着部３３２は、本体３３１の第１水平部３３１Ａの一方の端部において上方向に延びる第１連結部３３４により、本体３３１と連結されている。尚、図３には現れていないが、第２接着部３３３も、本体３３１の第１水平部３３１Ａの他方の端部において上方向に延びる、第１連結部３３４と同様の連結部により、本体３３１と連結されている。第２接着部３３３の連結部については後述する。
【００１４】
左ベース部材３４は右ベース部材３３と同様の構成を有している。左ベース部材３４は長尺部材であり、本体３４１と、第１接着部３４２と、第２接着部３４３とを有している。本体３４１、第１接着部３４２、第２接着部３４３は、それぞれ右ベース部材３３の本体３３１、第１接着部３３２、第２接着部３３３に対応している。図３において、本体３４１のうち第１水平部３４１Ａ及び凸部３４１Ｄのみが現れているが、本体３４１は、右ベース部材３３の第２水平部３３１Ｂ及び垂直部３３１Ｃと同様の第２水平部及び垂直部を有している。第１接着部３４２は、本体３４１の第１水平部３４１Ａの一方の端部において上方向に延びる第１連結部３４４により、本体３４１と連結されている。第２接着部３４３は、本体３４１の第１水平部３３１Ａの他方の端部において上方向に延びる第２連結部３４５により、本体３４１と連結されている。尚、第２連結部３４５が、右ベース部材３３において第２接着部３３３と本体３３１と連結する部材に相当する。すなわち、右ベース部材３３と左ベース部材３４は同一かつ同大の形状を有している。
【００１５】
右ベース部材３３は、第２接着部３３３が前側に位置し、第１接着部３３２が後ろ側に位置し、長手方向が加熱調理器１の前後方向に沿って延びるよう配置されている。左ベース部材３４は、第１接着部３４２が前側に位置し、第２接着部３４３が後ろ側に位置し、長手方向が加熱調理器１の前後方向に沿って延びるよう配置されている。すなわち、右ベース部材３３と左ベース部材３４は、加熱調理器１の左右方向の中心線を中心として線対称となるように配置されている。
【００１６】
図４は、本発明の実施の形態１に係るトッププレートユニットの部分断面図である。図４はトッププレートユニット３０を図１の線Ａ−Ａで垂直方向に切断して前側から見た場合の断面を示している。トッププレート枠３１とトッププレートガラス４３は、例えばシリコンの接着剤６０で接着されている。接着剤６０による接着は、トッププレート枠３１の開口部３１Ａの全周、すなわちトッププレートガラス４３の外縁部の全周に亘っている。右ベース部材３３は、本体３３１の垂直部３３１Ｃ及び第２水平部３３１Ｂがトッププレートガラス４３の外方に位置するよう配置されている。換言すると、右ベース部材３３はトッププレートガラス４３の周縁部においてトッププレートガラス４３の外側に張り出すよう配置されている。そして、トッププレートガラス４３と右ベース部材３３の本体３３１の第１水平部３３１Ａ上の凸部３３１Ｄとが、例えばシリコンの接着剤７０で接着されている。
【００１７】
図５は、本発明の実施の形態１に係るトッププレートユニットの部分断面図である。図５は、トッププレートユニット３０を図１の線Ｂ−Ｂで垂直方向に切断して前側から見た場合の断面を示している。右ベース部材３３の第２接着部３３３とトッププレート枠３１とが、例えばシリコンの接着剤８０で接着されている。尚、図５中、符号３３５で示す部材は、上述の第２接着部３３３を本体３３１と連結する連結部である、第２連結部３３５である。第１接着部３３２とトッププレート枠３１も、図５に示す態様と同様の態様で、接着剤により接着されている。
【００１８】
図４及び図５に示されるように、本体ケース２１の上端部にはフランジ２１Ａが形成されている。フランジ２１Ａは本体ケース２１の上端部の全周に亘って形成されている。右ベース部材３３の垂直部３３１Ｃ及び第２水平部３３１Ｂは、フランジ２１Ａよりも本体ケース２１の外方に位置している。つまり、垂直部３３１Ｃは本体ケース２１の最外端よりも外方に位置している。右ベース部材３３の第２水平部３３１Ｂは、上下方向において、本体ケース２１のフランジ２１Ａよりもわずかに下方に位置している。尚、第２水平部３３１Ｂは、上下方向において、フランジ２１Ａと同一の位置に位置していてもよい。
【００１９】
左ベース部材３４の第１水平部３４１Ａ及び凸部３４１Ｄとトッププレートガラス４３との接着も、図４に示す構成と同様の構成で接着されている。左ベース部材３４における、右ベース部材３３の垂直部３３１Ｃに対応する垂直部及び右ベース部材３３の第２水平部３３１Ｂに対応する水平部も、フランジ２１Ａよりも本体ケース２１の外方に位置している。すなわち、左ベース部材３４もはトッププレートガラス４３の外側に張り出すよう配置されている。左ベース部材３４の第２水平部も、上下方向において、本体ケース２１のフランジ２１Ａよりもわずかに下方に位置している。尚、左ベース部材３４の第２水平部は、上下方向において、フランジ２１Ａと同一の位置に位置していてもよい。また、左ベース部材３４の第１接着部３４２及び第２接着部３４３とトッププレート枠３１も、図５に示す構成と同様の構成で接着剤により接着されている。
【００２０】
ここで、本実施の形態１の効果について説明する。本実施の形態１によれば、図４及び図５で示すように、トッププレートガラス４３の縁部は全周に亘って、上方に位置するトッププレート枠３１と接着されていると共に、前後方向に延びる縁部は、下方に位置する右ベース部材３３及び左ベース部材３４と接着されている。このように、トッププレートガラス４３の前後方向に延びる縁部は、トッププレート枠３１と右ベース部材３３及び左ベース部材３４とに挟み込まれて接着されている。従って、仮にトッププレート枠３１とトッププレートガラス４３との接着に不具合が生じても、トッププレートガラス４３が落下することが防止される。
【００２１】
図６は、本発明の実施の形態１に係るトッププレートユニットの部分断面図である。図６は、加熱調理器１がキッチンカウンタ９０に据え付けられている状態を示している。トッププレート枠３１とキッチンカウンタ９０との間にはシール材９１が配設されている。図６に示すように、トッププレートユニット３０において、トッププレート枠３１とトッププレートガラス４３との接着に不具合が生じると、トッププレート枠３１とトッププレートガラス４３との間には隙間が形成される。そのため、トッププレートガラス４３に載置された被加熱物から煮汁、油、若しくは湯が吹きこぼれると、この隙間に侵入する可能性がある。しかしながら、本実施の形態１によれば、トッププレートガラス４３と右ベース部材３３は接着剤７０で接着されている。従って、被加熱物から吹きこぼれる煮汁等が加熱調理器１の本体ケース２１の内部へ異物として侵入することが抑制される。
【００２２】
さらに、仮に、トッププレートガラス４３と右ベース部材３３との間の接着状態も不良となったとしても、トッププレートガラス４３は右ベース部材３３で支持されているため、トッププレートガラス４３と右ベース部材３３との間に隙間が形成され、上述の異物が本体ケース２１の内部へ侵入することはない。
【００２３】
また、右ベース部材３３及び左ベース部材３４は、トッププレートガラス４３の外側に張り出すよう配置されている。従って、トッププレートガラス４３に載置された被加熱物から吹きこぼれる煮汁等が、図６において矢印で示すように流れたとしても、本体ケース２１の外方に導かれる。その結果、煮汁等が異物として本体ケース２１の内部へ侵入することが防止される。
【００２４】
さらに、本実施の形態１では、右ベース部材３３の第１接着部３３２及び第２接着部３３３とトッププレート枠３１が接着剤で接着され、左ベース部材３４の第１接着部３４２及び第２接着部３４３とトッププレート枠３１が接着剤で接着されている。従って、トッププレート枠３１とトッププレートガラス４３との間から本体ケース２１の内部への異物の侵入が、より効果的に抑制される。
【００２５】
右ベース部材３３の垂直部３３１Ｃ及び第２水平部３３１Ｂ、並びに左ベース部材３４における垂直部３３１Ｃに対応する垂直部及び第２水平部３３１Ｂに対応する第２水平部は、フランジ２１Ａよりも本体ケース２１の外方に位置している。従って、フランジ２１Ａとトッププレート枠３１との隙間の大きさを抑えることができる。つまり、垂直部及び第２水平部のフランジ２１Ａ側の端部側がフランジ２１Ａとトッププレート枠３１との隙間を塞ぐように配置される。その結果、本体ケース２１内のファンにより発生する冷却風が本体ケース２１の外方に排出されることが抑制される。また、右ベース部材３３の第２水平部３３１Ｂ及び左ベース部材３４の第２水平部は、本体ケース２１のフランジ２１Ａと同一平面、あるいはフランジ２１Ａよりも下方に位置している。従って、フランジ２１Ａとトッププレート枠３１との間の隙間に、右ベース部材３３及び左ベース部材３４が介在している。その結果、使用者が加熱調理器１を持つ際、フランジ２１Ａのエッジ及びトッププレート枠３１のエッジが使用者の手及び指に接触することが抑制される。
【００２６】
実施の形態２．
図７は、本発明の実施の形態２に係るトッププレートユニットの斜視図である。図８は、本発明の実施の形態２に係るトッププレートユニットの分解斜視図である。尚、本実施の形態２において、実施の形態１のトッププレートユニット３０と同様の構成を有する部材には同一の符号を付し、説明を省略する。本実施の形態２に係るトッププレートユニット１３０は、トッププレート枠３１と、トッププレートガラス３２と、右ベース部材３３と、左ベース部材３４と、前ベース部材３５と、後ベース部材３６とを有している。トッププレート枠３１の矩形を構成する４辺のそれぞれにおいて、トッププレート枠３１はトッププレートガラス３２の上方に位置し、各ベース部材３３、３４、３５、及び３６はトッププレートガラス３２の下方に位置している。
【００２７】
後ベース部材３６は、本体３６１と、第３接着部３６２と、第４接着部３６３とを有している。本体３６１は、長尺部材である。本体３６１の長手方向の両端部のうちの一方の端部３６１Ａは下方向に僅かに変位している。長手方向の両端部のうちの他方の端部３６１Ｂも、同様に下方向に僅かに変位している。本体３６１の上面には、本体３６１の長手方向に沿って延びる凸部３６１Ｄが形成されている。凸部３６１Ｄは本体３６１の上面において、上方向に突起している。第３接着部３６２及び第４接着部３６３は、矩形の薄板状の部材である。第３接着部３６２は、端部３６１Ａにおいて上方向に延びる第３連結部３６４により、本体３６１と平行となるよう、本体３６１と連結されている。第４接着部３６３は、端部３６１Ｂにおいて上方向に延びる第４連結部３６５により、本体３６１と平行となるよう、本体３６１と連結されている。
【００２８】
前ベース部材３５も後ベース部材３６と同様の構成を有している。前ベース部材３５は、本体３５１と、第３接着部３５２と、第４接着部３５３とを有している。本体３５１は、長尺部材である。本体３５１の長手方向の両端部のうちの一方の端部３５１Ａは下方向に僅かに変位している。長手方向の両端部のうちの他方の端部は、図８に現れていないが、同様に下方向に僅かに変位している。この他方の端部については後述する。本体３５１の上面には、本体３５１の長手方向に沿って延びる凸部３５１Ｄが形成されている。凸部３５１Ｄは本体３５１の上面において、上方向に突起している。第３接着部３５２及び第４接着部３５３は、矩形の薄板状の部材である。第３接着部３５２は、端部３５１Ａにおいて上方向に延びる第３連結部３５４により、本体３５１と平行となるよう、本体３５１と連結されている。同様に、第４接着部３５３も、端部３５１Ａとは反対側の端部において上方向に延びる連結部により、本体３６１と平行となるよう、本体３６１と連結されている。すなわち、前ベース部材３５と後ベース部材３６は同一かつ同大の形状を有している。尚、第４接着部３５３の連結部については後述する。
【００２９】
前ベース部材３５は、第３接着部３５２が左側に位置し、第４接着部３５３が右側に位置し、長手方向が加熱調理器１の左右方向に沿って延びるよう配置されている。後ベース部材３６は、第３接着部３６２が右側に位置し、第４接着部３６３が左側に位置し、長手方向が加熱調理器１の左右方向に沿って延びるよう配置されている。すなわち、右ベース部材３３と左ベース部材３４は加熱調理器１の前後方向の中心線を中心として線対称となるように配置されている。
【００３０】
図９は、本発明の実施の形態２に係るトッププレートユニットの部分断面図である。図９は、トッププレートユニット１３０が搭載される加熱調理器を図１の線Ｂ−Ｂの位置で切断して前側から見た場合の断面を示しており、一部の部材は透視的に示している。トッププレートガラス３２は、右ベース部材３３の本体３３１に形成されている凸部３３１Ｄと当接するように、接着剤（図示せず）により接着されている。尚、トッププレートガラス３２は、左ベース部材３４の本体３４１の第１水平部３４１Ａに形成されている凸部３４１Ｄ、前ベース部材３５の本体３５１に形成されている凸部３５１Ｄ、後ベース部材３６の本体３６１に形成されている凸部３６１Ｄと、同様の態様で当接するように、接着剤（図示せず）により接着されている。
【００３１】
トッププレート枠３１と右ベース部材３３の第２接着部３３３は接着剤１００により接着されている。右ベース部材３３の第２接着部３３３は、前ベース部材３５の第４接着部３５３と、第２接着部３３３の下面と第４接着部３５３の上面が当接するよう、接続されている。第２接着部３３３は、図５を参照して説明したように、右ベース部材３３の本体３３１に第２連結部３３５により連結されている。前ベース部材３５の端部３５１Ｂは上述の端部３５１Ａと反対側の端部であり、端部３５１Ａと同様、本体３５１よりも下方向に僅かに変位している。第４接着部３５３は、前ベース部材３５において端部３５１Ｂと連結部３５５で連結されている。
【００３２】
トッププレートユニット１３０の右後のコーナー部、左前のコーナー部、及び左後のコーナー部も、図９に示す構成と同様の構成を有している。トッププレートユニット１３０の右後のコーナー部において、図９に示す態様と同様に、トッププレート枠３１と右ベース部材３３の第１接着部３３２は接着剤により接着されている。右ベース部材３３の第１接着部３３２は、後ベース部材３６の第３接着部３６２と、第１接着部３３２の下面と第３接着部３６２の上面が当接するよう、接続されている。トッププレートユニット１３０の左前のコーナー部において、トッププレート枠３１と左ベース部材３４の第１接着部３４２は接着剤により接着されている。左ベース部材３４の第１接着部３４２は、前ベース部材３５の第３接着部３５２と、第１接着部３４２の下面と第３接着部３５２の上面が当接するよう、接続されている。トッププレートユニット１３０の左後のコーナー部において、トッププレート枠３１と左ベース部材３４の第２接着部３４３は接着剤により接着されている。左ベース部材３４の第２接着部３４３は、後ベース部材３６の第４接着部３６３と、第２接着部３４３の下面と第４接着部３６３の上面が当接するよう、接着されている。
【００３３】
本実施の形態２において、上述の４つのコーナー部における接着部の上下関係は逆でもよい。また、各ベース部材の接着部を２等辺三角形の形状で形成し、各接着部において２等辺三角形の底辺を構成する縁部同士を対向させた状態で、トッププレート枠３１と接着させてもよい。
【００３４】
本実施の形態２によれば、右ベース部材３３と左ベース部材３４に加え、前ベース部材３５及び後ベース部材３６が配設されている。従って、トッププレートユニット１３０の前縁部及び後縁部においても、上述の実施の形態１と同様の効果が得られる。
【００３５】
実施の形態３．
図１０は、本発明の実施の形態３に係るトッププレートユニットの斜視図である。図１１は、本発明の実施の形態３に係るトッププレートユニットの分解斜視図である。尚、本実施の形態３において、実施の形態１のトッププレートユニット３０と同様の構成を有する部材には同一の符号を付し、説明を省略する。本実施の形態３に係るトッププレートユニット２３０は、トッププレート枠３１と、トッププレートガラス３２と、ベース部材３７とを有している。
【００３６】
ベース部材３７は、本体３７１と、右前接続部３７２と、右後接続部３７３と、左前接続部３７４と、左後接続部３７５とを有している。本体３７１は矩形の枠形状の部材である。ベース部材３７の矩形を形成する４辺が、トッププレート枠３１の矩形を形成する４辺に対応するよう、ベース部材３７は配設されている。本体３７１の水平部３７１Ａには全周に亘って凸部３７１Ｄが形成されている。凸部３７１Ｄは水平部３７１Ａにおいて、上方に突出している。本体３７１は、右側辺部において水平部３７１Ｂと垂直部３７１Ｃを有している。水平部３７１Ａと水平部３７１Ｂは垂直部３７１Ｃにより接続されており、上下方向において、水平部３７１Ｂは水平部３７１Ａより下方に位置している。本体３７１は、前側辺部において水平部３７１Ｅと垂直部３７１Ｆを有している。水平部３７１Ａと水平部３７１Ｅは垂直部３７１Ｆにより接続されており、上下方向において、水平部３７１Ｅは水平部３７１Ａより下方に位置している。尚、図１１には現れていないが、本体３７１は、左側辺部及び後側辺部においても、右側辺部及び前側辺部と同様の構成を有している。これらの各辺部における２つの水平部と１つの垂直部との構成は、図４を参照して説明した実施の形態１の構成と同様である。
【００３７】
右前接続部３７２、右後接続部３７３、左前接続部３７４、及び左後接続部３７５は矩形の薄板状の部材である。右前接続部３７２は、本体３７１の４つのコーナーのうち、加熱調理器１の右前に位置するコーナーに配設されている。右後接続部３７３は、本体３７１の４つのコーナーのうち、加熱調理器１の右後に位置するコーナーに配設されている。右後接続部３７３は、本体３７１の右後のコーナーから上方向に延びる右後連結部３７７により、本体３７１に連結されている。左前接続部３７４は、本体３７１の４つのコーナーのうち、加熱調理器１の左前に位置するコーナーに配設されている。左前接続部３７４は、本体３７１の左前のコーナーから上方向に延びる左前連結部３７８により、本体３７１に連結されている。左後接続部３７５は、本体３７１の４つのコーナーのうち、加熱調理器１の左後に位置するコーナーに配設されている。左後接続部３７５は、本体３７１の左後のコーナーから上方向に延びる左後連結部３７９により、本体３７１に連結されている。尚、右前接続部３７２も、同様に、本体３７１の右前のコーナーから上方向に延びる連結部により、本体３７１に連結されている。
【００３８】
本実施の形態３においては、図５に示す実施の形態１と同様の態様で、トッププレート枠３１の４つのコーナーが、それぞれ、ベース部材３７の右前接続部３７２、右後接続部３７３、左前接続部３７４、及び左後接続部３７５と接着剤により接着されている。また、図４に示す実施の形態１と同様の態様で、トッププレートガラス３２がベース部材３７の本体３７１の凸部３７１Ｄと、全周に亘って接着剤により接着されている。
【００３９】
本実施の形態３によれば、ベース部材３７の凸部３７１Ｄは、全周に亘って形成され、トッププレートガラス３２と接着されている。また、ベース部材３７の各辺部において、２つの水平部と１つの垂直部が図４に示す構成と同様に構成されている。従って、上述の実施の形態１と同様の効果がトッププレートユニット２３０の全周に亘って得られる。
【符号の説明】
【００４０】
１  加熱調理器、２０  本体、２１  本体ケース、３０  トッププレートユニット、３１  トッププレート枠、３１Ａ  開口部、３１Ｂ  スイッチ類、３１Ｃ  開口部、３２  トッププレートガラス、３３  右ベース部材、３４  左ベース部材、３５  前ベース部材、３６  後ベース部材、３７  ベース部材、４０  引出、４３  トッププレートガラス、５０  排気口カバー、６０  接着剤、７０  接着剤、８０  接着剤、９０  キッチンカウンタ、９１  シール材、１００  接着剤、１３０  トッププレートユニット、２３０  トッププレートユニット、３３１  本体、３３１Ａ  第１水平部、３３１Ｂ  第２水平部、３３１Ｃ  垂直部、３３１Ｄ  凸部、３３２  第１接着部、３３３  第２接着部、３３４  第１連結部、３３５  第２連結部、３４１  本体、３４１Ａ  第１水平部、３４１Ｄ  凸部、３４２  第１接着部、３４３  第２接着部、３４４  第１連結部、３４５  第２連結部、３５１  本体、３５１Ａ  端部、３５１Ｂ  端部、３５１Ｄ  凸部、３５２  第３接着部、３５３  第４接着部、３５４  第３連結部、３５５  連結部、３６１  本体、３６１Ａ  端部、３６１Ｂ  端部、３６１Ｄ  凸部、３６２  第３接着部、３６３  第４接着部、３６４  第３連結部、３６５  第４連結部、３７１  本体、３７１Ａ  水平部、３７１Ｂ  水平部、３７１Ｃ  垂直部、３７１Ｄ  凸部、３７２  右前接続部、３７３  右後接続部、３７４  左前接続部、３７５  左後接続部、３７７  右後連結部、３７８  左前連結部、３７９  左後連結部。
【図１】
2018170114.tif 000003
【図２】
2018170114.tif 000004
【図３】
2018170114.tif 000005
【図４】
2018170114.tif 000006
【図５】
2018170114.tif 000007
【図６】
2018170114.tif 000008
【図７】
2018170114.tif 000009
【図８】
2018170114.tif 000010
【図９】
2018170114.tif 000011
【図１０】
2018170114.tif 000012
【図１１】
2018170114.tif 000013